(57)【要約】【課題】  ＶｏＩＰ電話の発着信履歴を回線交換呼と同一の表示とすることが可能な電話機を提供する。【解決手段】  携帯電話機１はＳＩＰを用いて呼制御を行い、電話番号の代わりに端末をユニークに特定するためにＳＩＰ  ＵＲＩ形式を使用し、表示処理部１２４において携帯電話機１の表示を設定する際に「ホスト部有効設定」メニューを追加している。表示処理部１２４は「ホスト部有効設定」がＯＮ／ＯＦＦによって画面表示等の切替えを行う。発着信処理部１２２でのＶｏＩＰ発着信、通話時には、「ホスト部有効設定」がＯＦＦ設定の場合にユーザ部のみを扱う動作とする発着信履歴データ記憶部１３２へのＶｏＩＰ着信の履歴登録時には、ＳＩＰ  ＵＲＩ形式にて履歴を保存する。発着信履歴データ記憶部１３２のリダイヤル、発信履歴は、デジット入力やＳＩＰアドレス入力表示の文字列を保存する。【選択図】      図１
2008172382.tif 000002
【特許請求の範囲】
【請求項１】
ユーザ部とホスト部とからなるＳＩＰ（Ｓｅｓｓｉｏｎ  Ｉｎｉｔｉａｔｉｏｎ  Ｐｒｏｔｏｃｏｌ）  ＵＲＩ（Ｕｎｉｖｅｒｓａｌ  Ｒｅｓｏｕｒｃｅ  Ｉｄｅｎｔｉｆｉｅｒ）を使用して呼制御を行うＶｏＩＰ（Ｖｏｉｃｅ  ｏｖｅｒ  Ｉｎｔｅｒｎｅｔ  Ｐｒｏｔｏｃｏｌ）を利用した電話機であって、
ユーザの選択設定に応じて前記ホスト部の表示の有無を制御する表示処理手段を有することを特徴とする電話機。
【請求項２】
前記ユーザの選択設定は、前記ホスト部を有効とするか否かを設定するためのホスト部有効設定であることを特徴とする請求項１記載の電話機。
【請求項３】
前記表示処理手段は、前記ホスト部有効設定によって発着信履歴の表示内容を切替えることを特徴とする請求項２記載の電話機。
【請求項４】
前記表示処理手段は、前記ＶｏＩＰの発着信及び通話時に、前記ホスト部有効設定が無効設定の場合に前記ユーザ部のみを扱うことを特徴とする請求項２または請求項３記載の電話機。
【請求項５】
前記表示処理手段は、前記ホスト部有効設定の有効／無効設定にかかわらず、前記ＶｏＩＰの発着信履歴に前記ユーザ部と前記ホスト部とを保存することを特徴とする請求項４記載の電話機。
【請求項６】
前記表示処理手段は、前記ＶｏＩＰの発信時に表示部に表示されている内容を使用して保存することを特徴とする請求項１から請求項５のいずれか記載の電話機。
【請求項７】
前記表示処理手段は、前記ＶｏＩＰの着信履歴登録時に前記ＳＩＰ  ＵＲＩの形式にて当該履歴を保存することを特徴とする請求項１から請求項６のいずれか記載の電話機。
【請求項８】
前記表示処理手段は、リダイヤル及び発信の履歴としてデジット入力やＳＩＰアドレス入力表示の文字列を保存することを特徴とする請求項１から請求項７のいずれか記載の電話機。
【請求項９】
請求項１から請求項８のうちのいずれか記載の電話機を含むことを特徴とする通信システム。
【請求項１０】
ユーザ部とホスト部とからなるＳＩＰ（Ｓｅｓｓｉｏｎ  Ｉｎｉｔｉａｔｉｏｎ  Ｐｒｏｔｏｃｏｌ）  ＵＲＩ（Ｕｎｉｖｅｒｓａｌ  Ｒｅｓｏｕｒｃｅ  Ｉｄｅｎｔｉｆｉｅｒ）を使用して呼制御を行うＶｏＩＰ（Ｖｏｉｃｅ  ｏｖｅｒ  Ｉｎｔｅｒｎｅｔ  Ｐｒｏｔｏｃｏｌ）を利用した電話機に用いる発着信履歴登録／表示方法であって、
前記電話機が、ユーザの選択設定に応じて前記ホスト部の表示の有無を制御する表示処理を実行することを特徴とする発着信履歴登録／表示方法。
【請求項１１】
前記ユーザの選択設定は、前記ホスト部を有効とするか否かを設定するためのホスト部有効設定であることを特徴とする請求項１０記載の発着信履歴登録／表示方法。
【請求項１２】
前記電話機が、前記表示処理において、前記ホスト部有効設定によって発着信履歴の表示内容を切替えることを特徴とする請求項１１記載の発着信履歴登録／表示方法。
【請求項１３】
前記電話機が、前記表示処理において、前記ＶｏＩＰの発着信及び通話時に、前記ホスト部有効設定が無効設定の場合に前記ユーザ部のみを扱うことを特徴とする請求項１１または請求項１２記載の発着信履歴登録／表示方法。
【請求項１４】
前記電話機が、前記表示処理において、前記ホスト部有効設定の有効／無効設定にかかわらず、前記ＶｏＩＰの発着信履歴に前記ユーザ部と前記ホスト部とを保存することを特徴とする請求項１３記載の発着信履歴登録／表示方法。
【請求項１５】
前記電話機が、前記表示処理において、前記ＶｏＩＰの発信時に表示部に表示されている内容を使用して保存することを特徴とする請求項１０から請求項１４のいずれか記載の発着信履歴登録／表示方法。
【請求項１６】
前記電話機が、前記表示処理において、前記ＶｏＩＰの着信履歴登録時に前記ＳＩＰ  ＵＲＩの形式にて当該履歴を保存することを特徴とする請求項１０から請求項１５のいずれか記載の発着信履歴登録／表示方法。
【請求項１７】
前記電話機が、前記表示処理において、リダイヤル及び発信の履歴としてデジット入力やＳＩＰアドレス入力表示の文字列を保存することを特徴とする請求項１０から請求項１６のいずれか記載の発着信履歴登録／表示方法。
【発明の詳細な説明】
【技術分野】
【０００１】
本発明は電話機及びそれを用いる通信システム並びにそれらに用いる発着信履歴登録／表示方法に関し、特に電話機における発信履歴及び着信履歴、リダイヤルの登録や表示に関する。
【背景技術】
【０００２】
近年、回線交換による通話ではなく、ＩＰ（Ｉｎｔｅｒｎｅｔ  Ｐｒｏｔｏｃｏｌ）を使用して通話を行うＶｏＩＰ（Ｖｏｉｃｅ  ｏｖｅｒ  ＩＰ）電話が普及してきている（例えば、特許文献１，２参照）。
【０００３】
このＳＩＰ（Ｓｅｓｓｉｏｎ  Ｉｎｉｔｉａｔｉｏｎ  Ｐｒｏｔｏｃｏｌ）を用いて呼制御を行う電話機は、電話番号の代わりに端末をユニークに特定するためにアドレス形式［ＳＩＰ  ＵＲＩ（Ｕｎｉｖｅｒｓａｌ  Ｒｅｓｏｕｒｃｅ  Ｉｄｅｎｔｉｆｉｅｒ）を使用するが、ＳＩＰ  ＵＲＩは電話番号と異なり、ユーザ（ｕｓｅｒ）部とホスト（ｈｏｓｔ）部とからなる。
【０００４】
【特許文献１】特開２００６−０１４０９２号公報
【特許文献２】特開２００４−２３５７５５号公報
【発明の開示】
【発明が解決しようとする課題】
【０００５】
しかしながら、従来の電話機では、慣習によってユーザが電話番号（ユーザ部）によって電話をかけるものと認識しており、ホスト部を意識することはない。これは、ＳＩＰ電話機においてユーザが入力した電話番号をＳＩＰ  ＵＲＩとして使用するために、実際の発信においてユーザ部のみが入力された場合には、電話機がホスト部を補完して発信を行っているためである。
【０００６】
また、電話機には、発着信履歴を保存しておき、電話帳に登録したり、再度発信を行う等の再利用を可能とする機能がある。また、着信時に通知された電話番号から、電話帳機能に登録された番号を検索し、登録された名前を表示したり、発信や着信の履歴の表示名に参照することが一般的に行われている。
【０００７】
ここで、ＶｏＩＰ電話ではユーザが行った発信と、実際に電話機が行った発信・着信の履歴との間に相違が生じてしまい、ユーザが発着信履歴を参照したり、利用する際、自身の操作と装置の表示とが異なることに違和感が存在する。
【０００８】
そこで、本発明の目的は上記の問題点を解消し、ＶｏＩＰ電話の発着信履歴を回線交換呼と同一の表示とすることができる電話機及びそれを用いる通信システム並びにそれらに用いる発着信履歴登録／表示方法を提供することにある。
【課題を解決するための手段】
【０００９】
本発明による電話機は、ユーザ部とホスト部とからなるＳＩＰ（Ｓｅｓｓｉｏｎ  Ｉｎｉｔｉａｔｉｏｎ  Ｐｒｏｔｏｃｏｌ）  ＵＲＩ（Ｕｎｉｖｅｒｓａｌ  Ｒｅｓｏｕｒｃｅ  Ｉｄｅｎｔｉｆｉｅｒ）を使用して呼制御を行うＶｏＩＰ（Ｖｏｉｃｅ  ｏｖｅｒ  Ｉｎｔｅｒｎｅｔ  Ｐｒｏｔｏｃｏｌ）を利用した電話機であって、
ユーザの選択設定に応じて前記ホスト部の表示の有無を制御する表示処理手段を備えている。
【００１０】
本発明による通信システムは、上記の電話機を含むことを特徴としている。
【００１１】
本発明による発着信履歴登録／表示方法は、ユーザ部とホスト部とからなるＳＩＰ（Ｓｅｓｓｉｏｎ  Ｉｎｉｔｉａｔｉｏｎ  Ｐｒｏｔｏｃｏｌ）  ＵＲＩ（Ｕｎｉｖｅｒｓａｌ  Ｒｅｓｏｕｒｃｅ  Ｉｄｅｎｔｉｆｉｅｒ）を使用して呼制御を行うＶｏＩＰ（Ｖｏｉｃｅ  ｏｖｅｒ  Ｉｎｔｅｒｎｅｔ  Ｐｒｏｔｏｃｏｌ）を利用した電話機に用いる発着信履歴登録／表示方法であって、
前記電話機が、ユーザの選択設定に応じて前記ホスト部の表示の有無を制御する表示処理を実行している。
【００１２】
すなわち、本発明の電話機は、ＩＰ（Ｉｎｔｅｒｎｅｔ  Ｐｒｏｔｏｃｏｌ）を利用した電話機において、ユーザの選択設定に応じてＵＲＩ（Ｕｎｉｖｅｒｓａｌ  Ｒｅｓｏｕｒｃｅ  Ｉｄｅｎｔｉｆｉｅｒ）のホスト部分の表示の有無を制御することで、ＶｏＩＰ（Ｖｏｉｃｅ  ｏｖｅｒ  ＩＰ）電話の発着信履歴やリダイヤル機能を従来の電話機と同様の表示操作を実現することを特徴とする。
【００１３】
より具体的に説明すると、本発明の電話機では、ＳＩＰを用いて呼制御を行い、電話番号の代わりに端末をユニークに特定するためにアドレス形式を使用しており、表示処理部における電話機の表示を設定する際にＵＲＩのホスト部を有効とするか否かを設定するための「ホスト部有効設定」メニューを追加している。表示処理部はこの「ホスト部有効設定」がＯＮ（有効）／ＯＦＦ（無効）によって画面表示等の切替えを行っている。
【００１４】
ＶｏＩＰ発着信、通話時の装置動作は、「ホスト部有効設定」がＯＦＦ（無効）設定の場合にユーザ部のみを扱う動作とする（ホスト部を無効とする）。但し、「ホスト部有効設定」のＯＮ（有効）／ＯＦＦ（無効）設定にかかわらず、ＶｏＩＰ履歴にはホスト部も保存する。ここで切替えるのは画面に表示する内容のみである。
【００１５】
ＶｏＩＰ発信時には、発信時に表示部に表示されている内容を使用して保存する。ＶｏＩＰ着信の履歴登録時には、ＳＩＰ  ＵＲＩ形式［ユーザ（ｕｓｅｒ）部＠ホスト（ｈｏｓｔ）部という形式］にて履歴を保存する。
【００１６】
リダイヤル、発信履歴は、デジット入力やＳＩＰアドレス入力表示の文字列を保存する。但し、現在のプロファイルの自ドメイン名を補完して発信した場合には、自ドメインまで保存する。
【００１７】
上記のように、本発明の電話機では、ユーザからの設定に応じてＵＲＩのホスト部分の表示を切替えることで、ＶｏＩＰ電話において従来の電話機と同様の表示操作を実現することが可能となる。
【発明の効果】
【００１８】
本発明は、上記のような構成及び動作とすることで、ＶｏＩＰ電話の発着信履歴を回線交換呼と同一の表示とすることができるという効果が得られる。
【発明を実施するための最良の形態】
【００１９】
次に、本発明の実施例について図面を参照して説明する。図１は本発明の一実施例による通信システムの構成を示すブロック図である。図１において、本発明の一実施例による通信システムは、公衆回線網（以下、公衆網とする）を使用して外線通話を行い、ＶｏＩＰ（Ｖｏｉｃｅ  ｏｖｅｒ  Ｉｎｔｅｒｎｅｔ  Ｐｒｏｔｏｃｏｌ）を使用して内線通話を行うシステムであり、携帯電話機１−１〜１−３と、アクセスポイント（ＡＰ）２と、サーバ３と、固定電話機４−１，４−２と、ゲートウェイ５−１，５−２と、交換機６−１，６−２と、ＲＮＣ（Ｒａｄｉｏ  Ｎｅｔｗｏｒｋ  Ｃｏｎｔｒｏｌｌｅｒ）７と、基地局８とから構成されている。
【００２０】
アクセスポイント２及びサーバ３は内線電話網［例えば、無線ＬＡＮ（ＬｏｃａｌＡｒｅａ  Ｎｅｔｗｏｒｋ）等］１００内に配設され、交換機６−１，６−２は公衆網２００内に配設され、ＲＮＣ７及び基地局８は携帯電話網３００内に配設されている。
【００２１】
アクセスポイント２及びサーバ３は内線電話網１００において携帯電話機１−１，１−２や固定電話機４−１に対してＶｏＩＰを使用した内線通話のサービスを提供する。また、サーバ３はゲートウェイ５−１，５−２、交換機６−１，６−２、ＲＮＣ７、基地局８を使用して公衆網２００や携帯電話網３００において携帯電話機１−１，１−２や固定電話機４−１に対して外線通話のサービスを提供する。
【００２２】
図２は本発明の一実施例による携帯電話機の構成を示すブロック図である。図２において、本発明の一実施例による携帯電話機１は無線ＬＡＮ用のアンテナ１０と、携帯電話用のアンテナ１１と、制御部１２と、メモリ１３と、無線ＬＡＮ無線部１４と、携帯電話無線部１５と、操作部１６と、表示部１７とを備えている。
【００２３】
ここで、制御部１２は無線ＬＡＮ無線部１４、携帯電話無線部１５、操作部１６を介して入力される発着信指令の受付け処理を行う発着信指令受付処理部１２１と、無線ＬＡＮ無線部１４や携帯電話無線部１５を通して発着信処理を行う発着信処理部１２２と、発着信処理部１２２で用いた発着信番号（内線番号や電話番号等）をメモリ１３に登録する発着信番号登録処理部１２３と、表示部１７に対する表示処理を行う表示処理部１２４とを備えている。
【００２４】
メモリ１３は電話帳データを記憶する電話帳データ記憶部１３１と、発着信番号登録処理部１２３によって登録される発着信番号等の発着信履歴データを記憶する発着信履歴データ記憶部１３２とを備えている。
【００２５】
尚、図１の携帯電話機１−１，１−２は、この図２に示す携帯電話機１と同様の構成となっている。また、以下の説明では、携帯電話機１について述べるが、本実施例は固定電話機４−１にも適用可能である。
【００２６】
本実施例では、携帯電話機１がＳＩＰ（Ｓｅｓｓｉｏｎ  Ｉｎｉｔｉａｔｉｏｎ  Ｐｒｏｔｏｃｏｌ）を用いて呼制御を行い、電話番号の代わりに端末をユニークに特定するためにアドレス形式［ＳＩＰ  ＵＲＩ（Ｕｎｉｖｅｒｓａｌ  Ｒｅｓｏｕｒｃｅ  Ｉｄｅｎｔｉｆｉｅｒ）を使用している。ここで、ＳＩＰ  ＵＲＩは電話番号と異なり、ユーザ（ｕｓｅｒ）部とホスト（ｈｏｓｔ）部とからなるため、上記の携帯電話機１においては、表示処理部１２４に、携帯電話機１の表示を設定する際に「ホスト部有効設定」メニューを追加している。表示処理部１２４はこの「ホスト部有効設定」がＯＮ（有効）／ＯＦＦ（無効）によって画面表示等の切替えを行っている。
【００２７】
発着信処理部１２２でのＶｏＩＰ発着信、通話時には、「ホスト部有効設定」がＯＦＦ（無効）設定の場合にユーザ部のみを扱う動作とする（ホスト部を無効とする）。但し、「ホスト部有効設定」のＯＮ（有効）／ＯＦＦ（無効）設定にかかわらず、ＶｏＩＰ履歴にはホスト部も保存する。ここで切替えるのは画面に表示する内容のみである。
【００２８】
発着信処理部１２２でのＶｏＩＰ発信時には、発信時に表示部１７に表示されている内容を使用して保存する。発着信履歴データ記憶部１３２へのＶｏＩＰ着信の履歴登録時には、ＳＩＰ  ＵＲＩ形式［ユーザ（ｕｓｅｒ）部＠ホスト（ｈｏｓｔ）部という形式］にて履歴を保存する。
【００２９】
発着信履歴データ記憶部１３２のリダイヤル、発信履歴は、デジット入力やＳＩＰアドレス入力表示の文字列を保存する。但し、現在のプロファイルの自ドメイン名を補完して発信した場合には、自ドメインまで保存する。例えば、「ホスト部有効設定」がＯＦＦ（無効）設定の場合に、“０９０１２３４５６７８＠ｓｉｐ．ｃｏｍ”で発着信すると、発信履歴の表示内容は“０９０１２３４５６７８”であるが、履歴の保存内容は“０９０１２３４５６７８＠ｓｉｐ．ｃｏｍ”である。
【００３０】
本実施例では、表示処理部１２４に「ホスト部有効設定」メニューを追加しているので、この「ホスト部有効設定」メニューで設定した「ホスト部有効設定」のＯＮ（有効）／ＯＦＦ（無効）によって、
・ＶｏＩＰ履歴の表示内容（名前表示を含む）
・ＶｏＩＰ履歴からのＶｏＩＰ発信
・ＶｏＩＰ履歴からの電話帳登録
・ＶｏＩＰ発着信、通話時の表示内容（名前表示を含む）
・伝言メモの表示内容（名前表示を含む）
・メッセンジャーの名前表示（送受信ＢＯＸ  ｅｔｃ）
という携帯電話機１の機能動作が変更となる。
【００３１】
携帯電話機１等の端末では、発着信時に端末に登録された電話帳データを参照し、電話番号やＳＩＰ  ＵＲＩと一緒に、同じ画面に電話帳登録された名前を同時に表示する。
【００３２】
上記の携帯電話機１の発着信時に行う電話帳参照による名前表示の検索優先順位を図３に示す。図３において、公衆網２００の発着信時には、ＶｏＩＰ発着信時の「ホスト部有効設定」がＯＦＦ（無効）設定時の動作で電話帳データ記憶部１３１の検索を行う。また、ｕｓｅｒ＝ｐｈｏｎｅパラメータ指定のＶｏＩＰ着信時には、「ホスト部有効設定」がＯＦＦ（無効）設定時の動作で電話帳データ記憶部１３１の検索を行う。但し、電話番号として扱うのは、ＷＬＡＮ（Ｗｉｒｅｌｅｓｓ  Ｌｏｃａｌ  Ａｒｅａ  Ｎｅｔｗｏｒｋ）プロファイルの自局ｕｓｅｒ＝ｐｈｏｎｅパラメータ設定がＯＮ（有効）の時のみとし、ＯＦＦ（無効）の場合にはＳＩＰアドレスとして扱う。
【００３３】
「ホスト部有効設定」がＯＦＦ（無効）設定で、電話帳検索の検索欄が「電話番号」の場合には、「電話帳の電話番号」と「発着信データ」（発着信データがＳＩＰアドレスの場合、検索文字列はユーザ部のみとする）との照合で一致すると、検索優先を第一とする。尚、電話帳の電話番号との照合に関しては、公衆網における電話帳検索と同等とする。
【００３４】
但し、電話番号参照の優先は、基本内線や拡張内線でのＶｏＩＰ着信の場合、外線着信時のみ行う。また、電話番号参照の優先は、ＰＷＬＡＮ着信時も対象とする。ＶｏＩＰ発着信時、発着信データがデジット、＋、ｐ（ポーズ）以外の文字（ｐ（文字）を含む英文字等）を含む場合には、電話番号欄の検索は行わない。
【００３５】
「ホスト部有効設定」がＯＦＦ（無効）設定で、電話帳検索の検索欄が「ＳＩＰアドレス」の場合には、「電話帳のＳＩＰアドレス」と「発着信データ」（発着信データがＳＩＰアドレスの場合、検索文字列はユーザ部のみとする）との照合で一致すると、検索優先を第二とし、「電話帳のＳＩＰアドレスのユーザ部」と「発着信データ」（発着信データがＳＩＰアドレスの場合、検索文字列はユーザ部のみとする）との照合で一致すると、検索優先を第三とする。
【００３６】
尚、ＰＷＬＡＮ着信、基本内線や拡張内線でのＶｏＩＰ外線着信時、各検索において着信データの先頭が“０”の場合、着信データの先頭の“０”を除いて再度検索する。
【００３７】
上記の電話番号参照の優先において、“０ｘｘｘｘ”と着信した場合の電話番号参照の優先は、完全一致＞“１８４０ｘｘｘｘ”＞“１８６０ｘｘｘｘ”＞“＃３１＃０ｘｘｘｘ”＞“＊３１＃０ｘｘｘｘ”＞“＋８１ｘｘｘｘ”であり、“＋８１ｘｘｘｘ”と着信した場合の電話番号参照の優先は、完全一致＞“０ｘｘｘｘ”＞“１８４０ｘｘｘｘ”＞“１８６０ｘｘｘｘ”＞“＃３１＃０ｘｘｘｘ”＞“＊３１＃０ｘｘｘｘ”である。
【００３８】
「ホスト部有効設定」がＯＮ（有効）設定で、電話帳検索の検索欄が「電話番号」の場合には、「電話帳の電話番号」と「発着信データ」（発着信データがＳＩＰアドレスの場合、検索文字列はユーザ部のみとする）との照合で一致すると、検索優先を第一とする。尚、電話帳の電話番号との照合に関しては、公衆網における電話帳検索と同等とする。
【００３９】
但し、電話番号参照の優先は、基本内線や拡張内線でのＶｏＩＰ着信の場合、外線着信時のみ行う。また、電話番号参照の優先は、ＰＷＬＡＮ着信時も対象とする。ＶｏＩＰ発着信時、発着信データのユーザ部がデジット、＋、ｐ（ポーズ）以外の文字（ｐ（文字）を含む英文字等）を含む場合には、電話番号欄の検索は行わない。
【００４０】
上記の電話番号参照の優先において、“０ｘｘｘｘ”と着信した場合の電話番号参照の優先は、完全一致＞“１８４０ｘｘｘｘ”＞“１８６０ｘｘｘｘ”＞“＃３１＃０ｘｘｘｘ”＞“＊３１＃０ｘｘｘｘ”＞“＋８１ｘｘｘｘ”であり、“＋８１ｘｘｘｘ”と着信した場合の電話番号参照の優先は、完全一致＞“０ｘｘｘｘ”＞“１８４０ｘｘｘｘ”＞“１８６０ｘｘｘｘ”＞“＃３１＃０ｘｘｘｘ”＞“＊３１＃０ｘｘｘｘ”である。
【００４１】
「ホスト部有効設定」がＯＮ（有効）設定で、電話帳検索の検索欄が「ＳＩＰアドレス」の場合には、「電話帳のＳＩＰアドレス」と「発着信データ」［発着信データがＳＩＰアドレスの場合、検索文字列はフルアドレス（ユーザ部＠ホスト部形式）とする］との照合で一致すると、検索優先を第一とする。
【００４２】
尚、ＰＷＬＡＮ着信、基本内線や拡張内線でのＶｏＩＰ外線着信時、各検索において着信データの先頭が“０”の場合、着信データの先頭の“０”を除いて再度検索する。
【００４３】
上記の電話帳参照による名前表示の処理フロー例を図４及び図５に示す。これら図１〜図５を参照して本発明の一実施例による名前表示の処理フロー例について説明する。尚、図４及び図５において、検索（ａ）は「電話帳の電話番号」と「発着信データ（ユーザ部のみ）」との照合で完全一致を示し、検索（ｂ）は「電話帳のＳＩＰアドレス」と「発着信データ（ユーザ部のみ）」との照合で完全一致を示し、検索（ｃ）は「電話帳のＳＩＰアドレスのユーザ部」と「発着信データ（ユーザ部のみ）」との照合で完全一致を示し、検索（ｄ）は「電話帳のＳＩＰアドレス」と「発着信データ（フルアドレス形式）」との照合で完全一致を示している。
【００４４】
携帯電話機１の制御部１２は公衆網／ＶｏＩＰ発着信において、検索（ａ）で該当ありの場合（図４ステップＳ１）、名前表示を行う（図４ステップＳ４）。ここで、検索（ａ）で複数一致した場合には、［１］スペース、［２］５０音、［３］アルファベット、［４］数字、［５］記号の優先順位で表示する。また、同じ電話帳内で複数一致した場合には、電話帳の中で優先度が高いデータを表示する。
【００４５】
また、検索（ａ）においては、ＶｏＩＰ発着信時、発着信データがデジット、＋、ｐ（ポーズ）以外の文字（ｐ（文字）を含む英文字等）を含む場合、電話帳の電話番号との検索を行わない。“０ｘｘｘｘ”と着信した場合の電話番号参照の優先は、完全一致＞“１８４０ｘｘｘｘ”＞“１８６０ｘｘｘｘ”＞“＃３１＃０ｘｘｘｘ”＞“＊３１＃０ｘｘｘｘ”＞“＋８１ｘｘｘｘ”であり、“＋８１ｘｘｘｘ”と着信した場合の電話番号参照の優先は、完全一致＞“０ｘｘｘｘ”＞“１８４０ｘｘｘｘ”＞“１８６０ｘｘｘｘ”＞“＃３１＃０ｘｘｘｘ”＞“＊３１＃０ｘｘｘｘ”である。上記の電話番号参照の優先においては、内線電話の場合、外線着信時のみ行い、内線電話以外のＶｏＩＰ着信時も対象とする。
【００４６】
携帯電話機１の制御部１２は検索（ａ）で該当なしで（図４ステップＳ１）、ＶｏＩＰ発着信、かつ、ホスト部有効設定がＯＮ（有効）でなく［公衆網発着信、ホスト部有効設定がＯＦＦ（無効）設定時のＶｏＩＰ発着信、ホスト部有効設定がＯＮ（有効）設定時のＶｏＩＰ着信（ＳＩＰ  ＵＲＩにｕｓｅｒ＝ｐｈｏｎｅパラメータが指定されて着信した場合）］（図４ステップＳ２）、検索（ｂ）で該当ありの場合（図４ステップＳ３）、名前表示を行う（図４ステップＳ４）。尚、複数一致した場合には、上記と同様である。また、検索（ｂ）においては、ＶｏＩＰ外線着信時、着信データの先頭が“０”の場合、着信データの先頭の“０”を除いて再度検索する。
【００４７】
携帯電話機１の制御部１２は検索（ｂ）で該当なしで（図４ステップＳ３）、検索（ｃ）で該当ありの場合（図４ステップＳ５）、名前表示を行い（図４ステップＳ４）、検索（ｃ）で該当なしの場合（図４ステップＳ５）、発着信データ表示を行う（図４のステップＳ６）。尚、複数一致した場合には、上記と同様である。また、検索（ｂ），（ｃ）においては、ＶｏＩＰ外線着信時、着信データの先頭が“０”の場合、着信データの先頭の“０”を除いて再度検索する。さらに、発着信データ表示は、「ホスト部有効設定」のＯＮ（有効）／ＯＦＦ（無効）設定に従う。
【００４８】
携帯電話機１の制御部１２はＶｏＩＰ発着信、かつ、ホスト部有効設定がＯＮ（有効）の場合［「ホスト部有効設定」がＯＮ（有効）設定時のＶｏＩＰ発着信］（図４ステップＳ２）、検索（ｄ）で該当ありの場合（図５ステップＳ７）、名前表示を行い（図４ステップＳ４）、検索（ｄ）で該当なしの場合（図５ステップＳ７）、発着信データ表示を行う（図４のステップＳ６）。尚、複数一致した場合には、上記と同様である。また、検索（ｄ）においては、ＶｏＩＰ外線着信時、着信データの先頭が“０”の場合、着信データの先頭の“０”を除いて再度検索する。さらに、発着信データ表示は、「ホスト部有効設定」のＯＮ（有効）／ＯＦＦ（無効）設定に従う。
【００４９】
ＶｏＩＰの着信履歴は、図６に示すように、「ホスト部有効設定」によって表示が変更される。「ホスト部有効設定」がＯＮ（有効）設定の場合には表示内容、保存内容共に「ユーザ部＠ホスト部」となるが、ＯＦＦ（無効）設定の場合には「ユーザ部＠ホスト部」を保存して「ユーザ部」のみを表示することとなる。
【００５０】
着信履歴からＶｏＩＰ電話発信する場合の発信内容を図７に示す。尚、公衆網はデジット以外を受付けることができないため、発信できないことを通知する警告を表示して発信は行わない。
【００５１】
図７において、「ホスト部有効設定」がＯＮ（有効）設定で、「ユーザ部」の構成がデジット（０〜９，＊，＃），＋のみの場合には、公衆網発信を「ユーザ部」で行い、ＶｏＩＰ発信を「ユーザ部＠ホスト部」で行う。
【００５２】
また、「ホスト部有効設定」がＯＮ（有効）設定で、「ユーザ部」の構成がデジット（０〜９，＊，＃），＋以外の文字を含む場合には、公衆網発信において警告表示を行い、ＶｏＩＰ発信を「ユーザ部＠ホスト部」で行う。
【００５３】
一方、「ホスト部有効設定」がＯＦＦ（無効）設定で、「ユーザ部」の構成がデジット（０〜９，＊，＃），＋のみの場合には、公衆網発信を「ユーザ部」で行い、ＶｏＩＰ発信を「ユーザ部」で行う。この場合、ＶｏＩＰ発信では、自己ＳＩＰアドレスの「ホスト部」を補完する。
【００５４】
また、「ホスト部有効設定」がＯＦＦ（無効）設定で、「ユーザ部」の構成がデジット（０〜９，＊，＃），＋以外の文字を含む場合には、公衆網発信において警告表示を行い、ＶｏＩＰ発信を「ユーザ部」で行う。この場合、ＶｏＩＰ発信では、自己ＳＩＰアドレスの「ホスト部」を補完する。
【００５５】
さらに、ＶｏＩＰの着信履歴から電話帳登録する場合には、「ホスト部有効設定」がＯＮ（有効）設定の時、「ユーザ部＠ホスト部」で電話帳登録し、ＯＦＦ（無効）設定の時、「ユーザ部」のみで電話帳登録する。このＶｏＩＰ発着信履歴の動作を図８（ａ），（ｂ）に示す。図８（ａ）は履歴について（ＶｏＩＰ発信系）、図８（ｂ）は履歴について（ＶｏＩＰ着信系）をそれぞれ示している。
【００５６】
図８（ａ）において、「ホスト部有効設定」がＯＦＦ（無効）設定で、ＶｏＩＰ発信時操作が「電話番号を指定して発信（デジット入力、電話帳の電話番号、公衆網発着信履歴の表示内容を指定して発信）」で、移動機内部操作が「電話番号＠ｌｏｃａｌ（ｌｏｃａｌ部分は現在のプロファイルの自ドメイン名の内容を使用する）」の場合には、発信中の表示内容が「ユーザ名」、リダイヤル／発信履歴の表示内容が「ユーザ名」、その保存内容が「ユーザ名＠ホスト名」であり、履歴からの電話帳連携として電話番号欄に「ユーザ名」を登録し、ＳＩＰアドレス欄に「ユーザ名」を登録する。この場合、ユーザ名部分には電話番号の内容を使用する。
【００５７】
「ホスト部有効設定」がＯＦＦ（無効）設定で、ＶｏＩＰ発信時操作が「電話番号を指定して発信（デジット入力、電話帳の電話番号、公衆網発着信履歴の表示内容を指定して発信）」で、移動機内部操作が「電話番号＠ｌｏｃａｌ（ｌｏｃａｌ部分は現在のプロファイルの自ドメイン名の内容を使用する）で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。この場合、ユーザ名部分には電話番号の内容を使用し、ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００５８】
「ホスト部有効設定」がＯＦＦ（無効）設定で、ＶｏＩＰ発信時操作が「ユーザ名のみのＳＩＰアドレスを指定して発信（「ユーザ部」のみのＳＩＰアドレス入力、「ユーザ部」のみの電話帳のＳＩＰアドレスの表示内容を指定して発信）」で、移動機内部操作が「ユーザ名＠ｌｏｃａｌ（ｌｏｃａｌ部分は現在のプロファイルの自ドメイン名の内容を使用する）で」の場合には、発信中の表示内容が「ユーザ名」、リダイヤル／発信履歴の表示内容が「ユーザ名」、その保存内容が「ユーザ名＠ホスト名（ホスト名部分はｌｏｃａｌの内容を使用する）」であり、履歴からの電話帳連携として電話番号欄に「ユーザ名」を登録し、ＳＩＰアドレス欄に「ユーザ名」を登録する。
【００５９】
「ホスト部有効設定」がＯＦＦ（無効）設定で、ＶｏＩＰ発信時操作が「ユーザ名のみのＳＩＰアドレスを指定して発信（「ユーザ部」のみのＳＩＰアドレス入力、「ユーザ部」のみの電話帳のＳＩＰアドレスの表示内容を指定して発信）」で、移動機内部操作が「ユーザ名＠ｌｏｃａｌ（ｌｏｃａｌ部分は現在のプロファイルの自ドメイン名の内容を使用する）で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００６０】
「ホスト部有効設定」がＯＦＦ（無効）設定で、ＶｏＩＰ発信時操作が「ユーザ名＠ホスト名形式のＳＩＰアドレスを指定して発信（ユーザ部＠ホスト部形式のＳＩＰアドレス入力、ユーザ部＠ホスト部形式の電話帳のＳＩＰアドレスの表示内容を指定して発信）」で、移動機内部操作が「ユーザ名＠ホスト名で発信」の場合には、発信中の表示内容が「ユーザ名」、リダイヤル／発信履歴の表示内容が「ユーザ名」、その保存内容が「ユーザ名＠ホスト名」であり、履歴からの電話帳連携として電話番号欄に「ユーザ名」を登録し、ＳＩＰアドレス欄に「ユーザ名」を登録する。
【００６１】
「ホスト部有効設定」がＯＦＦ（無効）設定で、ＶｏＩＰ発信時操作が「ユーザ名＠ホスト名形式のＳＩＰアドレスを指定して発信（ユーザ部＠ホスト部形式のＳＩＰアドレス入力、ユーザ部＠ホスト部形式の電話帳のＳＩＰアドレスの表示内容を指定して発信）」で、移動機内部操作が「ユーザ名＠ホスト名で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００６２】
「ホスト部有効設定」がＯＦＦ（無効）設定で、ＶｏＩＰ発信時操作が「ユーザ名のみの履歴表示を指定して発信（ＶｏＩＰ発着信履歴の表示内容を指定して発信）」で、移動機内部操作が「ユーザ名＠ｌｏｃａｌ（ｌｏｃａｌ部分は現在のプロファイルの自ドメイン名の内容を使用する）で」の場合には、発信中の表示内容が「ユーザ名」、リダイヤル／発信履歴の表示内容が「ユーザ名」、その保存内容が「ユーザ名＠ホスト名（ホスト名部分はｌｏｃａｌの内容を使用する）」であり、履歴からの電話帳連携として電話番号欄に「ユーザ名」を登録し、ＳＩＰアドレス欄に「ユーザ名」を登録する。
【００６３】
「ホスト部有効設定」がＯＦＦ（無効）設定で、ＶｏＩＰ発信時操作が「ユーザ名のみの履歴表示を指定して発信（ＶｏＩＰ発着信履歴の表示内容を指定して発信）」で、移動機内部操作が「ユーザ名＠ｌｏｃａｌ（ｌｏｃａｌ部分は現在のプロファイルの自ドメイン名の内容を使用する）で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００６４】
「ホスト部有効設定」がＯＮ（有効）設定で、ＶｏＩＰ発信時操作が「電話番号を指定して発信（デジット入力、電話帳の電話番号、公衆網発着信履歴の表示内容を指定して発信）」で、移動機内部操作が「電話番号＠ｌｏｃａｌ（ｌｏｃａｌ部分は現在のプロファイルの自ドメイン名の内容を使用する）で発信」の場合には、発信中の表示内容が「ユーザ名＠ホスト名」、リダイヤル／発信履歴の表示内容が「ユーザ名＠ホスト名」、その保存内容が「ユーザ名＠ホスト名」であり、履歴からの電話帳連携として電話番号欄に「ユーザ名」を登録し、ＳＩＰアドレス欄に「ユーザ名＠ホスト名」を登録する。この場合、ユーザ名部分は電話番号の内容を使用する。
【００６５】
「ホスト部有効設定」がＯＮ（有効）設定で、ＶｏＩＰ発信時操作が「電話番号を指定して発信（デジット入力、電話帳の電話番号、公衆網発着信履歴の表示内容を指定して発信）」で、移動機内部操作が「電話番号＠ｌｏｃａｌ（ｌｏｃａｌ部分は現在のプロファイルの自ドメイン名の内容を使用する）で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。この場合、ユーザ名部分には電話番号の内容を使用し、ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００６６】
「ホスト部有効設定」がＯＮ（有効）設定で、ＶｏＩＰ発信時操作が「ユーザ名のみのＳＩＰアドレスを指定して発信（「ユーザ部」のみのＳＩＰアドレス入力、「ユーザ部」のみの電話帳のＳＩＰアドレスの表示内容を指定して発信）」で、移動機内部操作が「ユーザ名＠ｌｏｃａｌ（ｌｏｃａｌ部分は現在のプロファイルの自ドメイン名の内容を使用する）で」の場合には、発信中の表示内容が「ユーザ名＠ホスト名」、リダイヤル／発信履歴の表示内容が「ユーザ名＠ホスト名」、その保存内容が「ユーザ名＠ホスト名」であり、履歴からの電話帳連携として電話番号欄に「ユーザ名」を登録し、ＳＩＰアドレス欄に「ユーザ名＠ホスト名」を登録する。この場合、ホスト名部分はｌｏｃａｌの内容を使用する。
【００６７】
「ホスト部有効設定」がＯＮ（有効）設定で、ＶｏＩＰ発信時操作が「ユーザ名のみのＳＩＰアドレスを指定して発信（「ユーザ部」のみのＳＩＰアドレス入力、「ユーザ部」のみの電話帳のＳＩＰアドレスの表示内容を指定して発信）」で、移動機内部操作が「ユーザ名＠ｌｏｃａｌ（ｌｏｃａｌ部分は現在のプロファイルの自ドメイン名の内容を使用する）で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００６８】
「ホスト部有効設定」がＯＮ（有効）設定で、ＶｏＩＰ発信時操作が「ユーザ名＠ホスト名形式のＳＩＰアドレスを指定して発信（ユーザ部＠ホスト部形式のＳＩＰアドレス入力、ユーザ部＠ホスト部形式の電話帳のＳＩＰアドレスの表示内容を指定して発信）」で、移動機内部操作が「ユーザ名＠ホスト名で発信」の場合には、発信中の表示内容が「ユーザ名＠ホスト名」、リダイヤル／発信履歴の表示内容が「ユーザ名＠ホスト名」、その保存内容が「ユーザ名＠ホスト名」であり、履歴からの電話帳連携として電話番号欄に「ユーザ名」を登録し、ＳＩＰアドレス欄に「ユーザ名＠ホスト名」を登録する。
【００６９】
「ホスト部有効設定」がＯＮ（有効）設定で、ＶｏＩＰ発信時操作が「ユーザ名＠ホスト名形式のＳＩＰアドレスを指定して発信（ユーザ部＠ホスト部形式のＳＩＰアドレス入力、ユーザ部＠ホスト部形式の電話帳のＳＩＰアドレスの表示内容を指定して発信）」で、移動機内部操作が「ユーザ名＠ホスト名で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＷＬＡＮプロファイル→「相手ｕｓｅｒ＝ｐｈｏｎｅパラメータ」がＯＮで、ＳＩＰ  ＵＲＩにｕｓｅｒ＝ｐｈｏｎｅパラメータを指定して発信する場合には、ユーザ名部分を電話番号として扱う。
【００７０】
「ホスト部有効設定」がＯＮ（有効）設定で、ＶｏＩＰ発信時操作が「ユーザ名＠ホスト名の履歴表示を指定して発信（ＶｏＩＰ発着信履歴の表示内容を指定して発信）」で、移動機内部操作が「ユーザ名＠ホスト名で発信」の場合には、発信中の表示内容が「ユーザ名＠ホスト名」、リダイヤル／発信履歴の表示内容が「ユーザ名＠ホスト名」、その保存内容が「ユーザ名＠ホスト名」であり、履歴からの電話帳連携として電話番号欄に「ユーザ名」を登録し、ＳＩＰアドレス欄に「ユーザ名＠ホスト名」を登録する。
【００７１】
「ホスト部有効設定」がＯＮ（有効）設定で、ＶｏＩＰ発信時操作が「ユーザ名＠ホスト名の履歴表示を指定して発信（ＶｏＩＰ発着信履歴の表示内容を指定して発信）」で、移動機内部操作が「ユーザ名＠ホスト名で発信」の場合には、発信中の表示内容が「ユーザ名」、リダイヤル／発信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。
【００７２】
図８（ｂ）において、「ホスト部有効設定」がＯＦＦ（無効）設定で、移動機内部操作が「ユーザ名＠ホスト名で着信」の場合には、着信中の表示内容が「ユーザ名」、着信履歴の表示内容が「ユーザ名」、その保存内容が「ユーザ名」であり、履歴からの電話帳連携として電話番号欄に「ユーザ名」を登録し、ＳＩＰアドレス欄に「ユーザ名」を登録する。ＳＩＰ  ＵＲＩにｕｓｅｒ＝ｐｈｏｎｅパラメータが指定されて着信した場合、Ｕｓｅｒ名部分を電話番号として扱う。但し、電話番号として扱うのは、ＷＬＡＮプロファイル→「自局ｕｓｅｒ＝ｐｈｏｎｅパラメータ」がＯＮ（有効）の時のみとし、ＯＦＦ（無効）の場合にはＳＩＰアドレスとして扱う。
【００７３】
「ホスト部有効設定」がＯＦＦ（無効）設定で、移動機内部操作が「ユーザ名＠ホスト名で着信」の場合には、着信中の表示内容が「ユーザ名」、着信履歴の表示内容が「ユーザ名」、その保存内容が「ユーザ名＠ホスト名」であり、履歴からの電話帳連携として電話番号欄に「ユーザ名」を登録し、ＳＩＰアドレス欄に「ユーザ名」を登録する。
【００７４】
「ホスト部有効設定」がＯＮ（有効）設定で、移動機内部操作が「ユーザ名＠ホスト名で着信」の場合には、着信中の表示内容が「ユーザ名」、着信履歴の表示内容が「ユーザ名」、その保存内容が「ユーザ名」であり、履歴からの電話帳連携として電話番号欄に「ユーザ名」を登録し、ＳＩＰアドレス欄に「ユーザ名＠ホスト名」を登録する。ＳＩＰ  ＵＲＩにｕｓｅｒ＝ｐｈｏｎｅパラメータが指定されて着信した場合、Ｕｓｅｒ名部分を電話番号として扱う。但し、電話番号として扱うのは、ＷＬＡＮプロファイル→「自局ｕｓｅｒ＝ｐｈｏｎｅパラメータ」がＯＮ（有効）の時のみとし、ＯＦＦ（無効）の場合にはＳＩＰアドレスとして扱う。
【００７５】
「ホスト部有効設定」がＯＮ（有効）設定で、移動機内部操作が「ユーザ名＠ホスト名で着信」の場合には、着信中の表示内容が「ユーザ名＠ホスト名」、着信履歴の表示内容が「ユーザ名＠ホスト名」、その保存内容が「ユーザ名＠ホスト名」であり、履歴からの電話帳連携として電話番号欄に「ユーザ名」を登録し、ＳＩＰアドレス欄に「ユーザ名＠ホスト名」を登録する。
【００７６】
デジットから電話発信する場合、ｐ（ポーズ）の有無によって発信動作を変更する必要がある。この動作を図９に示す。
【００７７】
図９において、「ホスト部有効設定」がＯＮ（有効）設定で、デジットの表示構成（デジット入力、電話帳の電話番号、公衆網発着信履歴）がｐ（ポーズ）を含まない場合には、公衆網発信をデジットデータで行い、ＶｏＩＰ発信をデジットデータで行う。この場合、自己ＳＩＰアドレスのホスト部を補完する。
【００７８】
「ホスト部有効設定」がＯＮ（有効）設定で、デジットの表示構成（デジット入力、電話帳の電話番号、公衆網発着信履歴）がｐ（ポーズ）を含む場合には、公衆網発信をデジットデータで行い、ＶｏＩＰ発信をデジットデータで行う。この場合、ｐ（ポーズ）以降は無効、ｐ（ポーズ）より前部分をデジットデータとして扱い、自己ＳＩＰアドレスのホスト部を補完する。
【００７９】
「ホスト部有効設定」がＯＦＦ（無効）設定で、デジットの表示構成（デジット入力、電話帳の電話番号、公衆網発着信履歴）がｐ（ポーズ）を含まない場合には、公衆網発信をデジットデータで行い、ＶｏＩＰ発信をデジットデータで行う。この場合、自己ＳＩＰアドレスのホスト部を補完する。
【００８０】
「ホスト部有効設定」がＯＦＦ（無効）設定で、デジットの表示構成（デジット入力、電話帳の電話番号、公衆網発着信履歴）がｐ（ポーズ）を含む場合には、公衆網発信をデジットデータで発信で行い、ＶｏＩＰ発信をデジットデータで行う。この場合、ｐ（ポーズ）以降は無効、ｐ（ポーズ）より前部分をデジットデータとして扱い、自己ＳＩＰアドレスのホスト部を補完する。
【００８１】
同様に、ＳＩＰアドレスからの電話発信もその内容によって発信動作を変更する必要がある。この動作を図１０に示す。
【００８２】
図１０において、「ホスト部有効設定」がＯＮ（有効）設定で、ＳＩＰアドレスの表示構成が「ユーザ部＠ホスト部」（ＶｏＩＰ発着信履歴、ユーザ部＠ホスト部形式のＳＩＰアドレス入力、ユーザ部＠ホスト部形式の電話帳のＳＩＰアドレス、ユーザ部＠ホスト部形式の伝言メモ）で、ユーザ部の構成がデジット（０〜９，＊，＃），＋のみの場合には、公衆網発信を「ユーザ部」で行い、ＶｏＩＰ発信を「ユーザ部＠ホスト部」で行う。
【００８３】
「ホスト部有効設定」がＯＮ（有効）設定で、ＳＩＰアドレスの表示構成が「ユーザ部＠ホスト部」（ＶｏＩＰ発着信履歴、ユーザ部＠ホスト部形式のＳＩＰアドレス入力、ユーザ部＠ホスト部形式の電話帳のＳＩＰアドレス、ユーザ部＠ホスト部形式の伝言メモ）で、ユーザ部の構成がデジット（０〜９，＊，＃），＋以外の文字を含む場合には、公衆網発信において警告表示を行い、ＶｏＩＰ発信を「ユーザ部＠ホスト部」で行う。
【００８４】
「ホスト部有効設定」がＯＮ（有効）設定で、ＳＩＰアドレスの表示構成が「ユーザ部のみ」（ユーザ部のみのＳＩＰアドレス入力、ユーザ部のみの電話帳のＳＩＰアドレス、ユーザ部のみの伝言メモ）で、ユーザ部の構成がデジット（０〜９，＊，＃），＋のみの場合には、公衆網発信を「ユーザ部」で行い、ＶｏＩＰ発信を「ユーザ部」で行う。この場合、自己ＳＩＰアドレスのホスト部を補完する。
【００８５】
「ホスト部有効設定」がＯＮ（有効）設定で、ＳＩＰアドレスの表示構成が「ユーザ部のみ」（ユーザ部のみのＳＩＰアドレス入力、ユーザ部のみの電話帳のＳＩＰアドレス、ユーザ部のみの伝言メモ）で、ユーザ部の構成がデジット（０〜９，＊，＃），＋以外の文字を含む場合には、公衆網発信において警告表示を行い、ＶｏＩＰ発信を「ユーザ部」で行う。この場合、自己ＳＩＰアドレスのホスト部を補完する。
【００８６】
「ホスト部有効設定」がＯＦＦ（無効）設定で、ＳＩＰアドレスの表示構成が「ユーザ部＠ホスト部」（ユーザ部＠ホスト部形式のＳＩＰアドレス入力、ユーザ部＠ホスト部形式の電話帳のＳＩＰアドレス、ユーザ部＠ホスト部形式の伝言メモ）で、ユーザ部の構成がデジット（０〜９，＊，＃），＋のみの場合には、公衆網発信を「ユーザ部」で行い、ＶｏＩＰ発信を「ユーザ部＠ホスト部」で行う。
【００８７】
「ホスト部有効設定」がＯＦＦ（無効）設定で、ＳＩＰアドレスの表示構成が「ユーザ部＠ホスト部」（ユーザ部＠ホスト部形式のＳＩＰアドレス入力、ユーザ部＠ホスト部形式の電話帳のＳＩＰアドレス、ユーザ部＠ホスト部形式の伝言メモ）で、ユーザ部の構成がデジット（０〜９，＊，＃），＋以外の文字を含む場合には、公衆網発信において警告表示を行い、ＶｏＩＰ発信を「ユーザ部＠ホスト部」で行う。
【００８８】
「ホスト部有効設定」がＯＦＦ（無効）設定で、ＳＩＰアドレスの表示構成が「ユーザ部」のみ（ＶｏＩＰ発着信履歴、ユーザ部のみのＳＩＰアドレス入力、ユーザ部のみの電話帳のＳＩＰアドレス、ユーザ部のみの伝言メモ）で、ユーザ部の構成がデジット（０〜９，＊，＃），＋のみの場合には、公衆網発信を「ユーザ部」で行い、ＶｏＩＰ発信を「ユーザ部」で行う。この場合、自己ＳＩＰアドレスのホスト部を補完する。
【００８９】
「ホスト部有効設定」がＯＦＦ（無効）設定で、ＳＩＰアドレスの表示構成が「ユーザ部」のみ（ＶｏＩＰ発着信履歴、ユーザ部のみのＳＩＰアドレス入力、ユーザ部のみの電話帳のＳＩＰアドレス、ユーザ部のみの伝言メモ）で、ユーザ部の構成がデジット（０〜９，＊，＃），＋以外の文字を含む場合には、公衆網発信において警告表示を行い、ＶｏＩＰ発信を「ユーザ部」で行う。この場合、自己ＳＩＰアドレスのホスト部を補完する。
【００９０】
ＶｏＩＰのリダイヤル、発信履歴の表示内容と保存内容とを図１１及び図１２に、ＶｏＩＰのリダイヤル、発信履歴からの電話発信動作を図１３及び図１４に示す。
【００９１】
図１１において、「ホスト部有効設定」がＯＮ（有効）設定で、発信時のデジットの表示構成がｐ（ポーズ）を含まない場合には、リダイヤル／発信履歴の内容表示を「ユーザ部＠ホスト部」で行い、リダイヤル／発信履歴の内容保存を「ユーザ部＠ホスト部」で行う。この場合、ユーザ部には発信時のデジットデータを使用し、ホスト部にはデジットデータからの発信時に補完した自己ＳＩＰアドレスのホスト部を使用する。
【００９２】
「ホスト部有効設定」がＯＮ（有効）設定で、発信時のデジットの表示構成がｐ（ポーズ）を含む場合には、リダイヤル／発信履歴の内容表示を「ユーザ部＠ホスト部」で行い、リダイヤル／発信履歴の内容保存を「ユーザ部＠ホスト部」で行う。この場合、ユーザ部には発信時のデジットデータを使用し、発信時にｐ以降を扱っていないため、ユーザ部にはデジットデータのｐ以降を使用しない。ホスト部にはデジットデータからの発信時に補完した自己ＳＩＰアドレスのホスト部を使用する。
【００９３】
「ホスト部有効設定」がＯＦＦ（無効）設定で、発信時のデジットの表示構成がｐ（ポーズ）を含まない場合には、リダイヤル／発信履歴の内容表示を「ユーザ部のみ」（ユーザ部には発信時のデジットデータを使用する）で行い、リダイヤル／発信履歴の内容保存を「ユーザ部＠ホスト部」（ユーザ部には発信時のデジットデータを使用し、ホスト部にはデジットデータからの発信時に補完した自己ＳＩＰアドレスのホスト部を使用する）で行う。
【００９４】
「ホスト部有効設定」がＯＦＦ（無効）設定で、発信時のデジットの表示構成がｐ（ポーズ）を含む場合には、リダイヤル／発信履歴の内容表示を「ユーザ部のみ」（ユーザ部には発信時のデジットデータを使用し、発信時にｐ以降を扱っていないため、ユーザ部には、デジットデータのｐ以降を使用しない）で行い、リダイヤル／発信履歴の内容保存を「ユーザ部＠ホスト部」（ユーザ部には発信時のデジットデータを使用し、発信時にｐ以降を扱っていないため、ユーザ部にはデジットデータのｐ以降を使用しない。ホスト部にはデジットデータからの発信時に補完した自己ＳＩＰアドレスのホスト部を使用する）で行う。
【００９５】
図１２において、「ホスト部有効設定」がＯＮ（有効）設定で、発信時のＳＩＰアドレスの表示構成が「ユーザ部＠ホスト部」の場合には、リダイヤル／発信履歴の内容表示を「ユーザ部＠ホスト部」で行い、リダイヤル／発信履歴の内容保存を「ユーザ部＠ホスト部」で行う。
【００９６】
「ホスト部有効設定」がＯＮ（有効）設定で、発信時のＳＩＰアドレスの表示構成が「ユーザ部のみ」の場合には、リダイヤル／発信履歴の内容表示を「ユーザ部＠ホスト部」で行い、リダイヤル／発信履歴の内容保存を「ユーザ部＠ホスト部」で行う。この場合、ホスト部には発信時に補完した自己ＳＩＰアドレスのホスト部を使用する。
【００９７】
「ホスト部有効設定」がＯＦＦ（無効）設定で、発信時のＳＩＰアドレスの表示構成が「ユーザ部＠ホスト部」の場合には、リダイヤル／発信履歴の内容表示を「ユーザ部のみ」で行い、リダイヤル／発信履歴の内容保存を「ユーザ部＠ホスト部」で行う。
【００９８】
「ホスト部有効設定」がＯＦＦ（無効）設定で、発信時のＳＩＰアドレスの表示構成が「ユーザ部のみ」の場合には、リダイヤル／発信履歴の内容表示を「ユーザ部のみ」で行い、リダイヤル／発信履歴の内容保存を「ユーザ部＠ホスト部」（ホスト部には発信時に補完した自己ＳＩＰアドレスのホスト部を使用する）で行う。
【００９９】
図１３において、「ホスト部有効設定」がＯＮ（有効）設定で、履歴の保存内容が「ユーザ部＠ホスト部」で、履歴の表示内容が「ユーザ部＠ホスト部」［「ユーザ部」の構成がデジット（０〜９，＊，＃），＋のみ］の場合には、公衆網発信を「ユーザ部」で行い、ＶｏＩＰ発信を「ユーザ部＠ホスト部」で行う。
【０１００】
「ホスト部有効設定」がＯＮ（有効）で、履歴の保存内容が「ユーザ部＠ホスト部」で、履歴の表示内容が「ユーザ部＠ホスト部」［デジット（０〜９，＊，＃），＋以外の文字を含む］の場合には、公衆網発信において「警告表示」を行い、ＶｏＩＰ発信を「ユーザ部＠ホスト部」で行う。
【０１０１】
「ホスト部有効設定」がＯＦＦ（無効）設定で、履歴の保存内容が「ユーザ部＠ホスト部」で、履歴の表示内容が「ユーザ部のみ」［デジット（０〜９，＊，＃），＋のみ］の場合には、公衆網発信を「ユーザ部」で行い、ＶｏＩＰ発信を「ユーザ部」（自己ＳＩＰアドレスのホスト部を補完する）で行う。
【０１０２】
「ホスト部有効設定」がＯＦＦ（無効）設定で、履歴の保存内容が「ユーザ部＠ホスト部」で、履歴の表示内容が「ユーザ部のみ」［デジット（０〜９，＊，＃），＋以外の文字を含む］の場合には、公衆網発信において「警告表示」を行い、ＶｏＩＰ発信を「ユーザ部」（自己ＳＩＰアドレスのホスト部を補完する）で行う。
【０１０３】
図１４において、「ホスト部有効設定」がＯＮ（有効）設定で、履歴の保存内容が「ユーザ部＠ホスト部」の場合には、「ユーザ部＠ホスト部」で電話帳登録を行う。また、「ホスト部有効設定」がＯＦＦ（無効）設定で、履歴の保存内容が「ユーザ部＠ホスト部」の場合には、「ユーザ部のみ」で電話帳登録を行う。
【０１０４】
図１５〜図１８には、電話帳に、
名前：  電話帳の登録番号
Ａ：  ０５０１２３４５６７８
Ｂ：  ０５０１２３４５６７８＠ｌｏｃａｌ−０２
Ｃ：  ０５０１２３４５６７８＠ｌｏｃａｌ−０１
Ｄ：  ０５０１２３４５６７８＠ｈｏｓｔ−０２
Ｅ：  ０５０１２３４５６７８＠ｈｏｓｔ−０１
Ｆ：  ０８０１２３４５６７８
Ｇ：  ０７０１２３４５６７８
Ｈ：  ０９０１２３４５６７８
という番号を登録した場合のリダイヤル、発信履歴の表示イメージを示している。
【０１０５】
図１５には発信履歴のホスト部を有効にした場合のリダイヤル、発信履歴の表示イメージを示し、図１６には発信履歴のホスト部を無効にした場合のリダイヤル、発信履歴の表示イメージを示している。この場合、ホスト部は不可視となる。また、ホスト部を無効とした場合のアドレス逆引きは、ユーザ部検索でアイウエオ順（フリガナ順）となるため、「Ａ」と表示される。
【０１０６】
図１７にはリダイヤルのホスト部を有効にした場合のリダイヤル、発信履歴の表示イメージを示している。この場合、９番目は発信履歴の３番目と重複のため、リダイヤルでは表示省略（リダイヤル表示上は一切見えない）となる。
【０１０７】
図１８にはリダイヤルのホスト部を無効にした場合のリダイヤル、発信履歴の表示イメージを示している。この場合、ホスト部無効設定にしたため、上記表示中の１−５番目までが同一のダイヤルとみなされ、もっとも履歴の新しい１番目のみが表示される。アドレス逆引きはユーザ部検索でアイウエオ順（フリガナ順）となるため、「Ａ」と表示される。
【０１０８】
このように、本実施例では、ＶｏＩＰ電話の発着信履歴が回線交換呼と同一の表示が可能となるとともに、ＳＩＰ  ＵＲＩから電話帳に登録されたデータの参照を行うことが可能となる。
【０１０９】
尚、本発明は、公衆網２００とＩＰ網とのＤｕａｌに対応した電話機だけではなく、ＩＰ網のみ対応したＳｉｎｇｌｅのＶｏＩＰ電話機でも、上記と同様に、表示を切替えることで、回線交換呼の内線電話と同様に使用することが可能となる。また、本発明では、携帯電話機のみならず、固定電話機にも適用することができる。
【図面の簡単な説明】
【０１１０】
【図１】本発明の一実施例による通信システムの構成を示すブロック図である。
【図２】本発明の一実施例による携帯電話機の構成を示すブロック図である。
【図３】本発明の一実施例における電話帳参照による名前表示を示す図である。
【図４】本発明の一実施例における電話帳参照による名前表示の処理フロー例を示すフローチャートである。
【図５】本発明の一実施例における電話帳参照による名前表示の処理フロー例をフローチャートである。
【図６】本発明の一実施例におけるＶｏＩＰの着信履歴を示す図である。
【図７】本発明の一実施例における着信履歴からＶｏＩＰ電話発信する場合の発信内容を示す図である。
【図８】（ａ），（ｂ）は本発明の一実施例におけるＶｏＩＰ発着信履歴の動作を示す図である。
【図９】本発明の一実施例におけるデジットから電話発信する場合の発信動作を示す図である。
【図１０】本発明の一実施例におけるＳＩＰアドレスから電話発信する場合の発信動作を示す図である。
【図１１】本発明の一実施例におけるＶｏＩＰのリダイヤル、発信履歴の表示内容と保存内容とを示す図である。
【図１２】本発明の一実施例におけるＶｏＩＰのリダイヤル、発信履歴の表示内容と保存内容とを示す図である。
【図１３】本発明の一実施例におけるＶｏＩＰのリダイヤル、発信履歴からの電話発信動作を示す図である。
【図１４】本発明の一実施例におけるＶｏＩＰのリダイヤル、発信履歴からの電話発信動作を示す図である。
【図１５】本発明の一実施例におけるリダイヤル、発信履歴の表示イメージを示す図である。
【図１６】本発明の一実施例におけるリダイヤル、発信履歴の表示イメージを示す図である。
【図１７】本発明の一実施例におけるリダイヤル、発信履歴の表示イメージを示す図である。
【図１８】本発明の一実施例におけるリダイヤル、発信履歴の表示イメージを示す図である。
【符号の説明】
【０１１１】
１，１−１〜１−３  携帯電話機
２  アクセスポイント
３  サーバ
４−１，４−２  固定電話機
５−１，５−２  ゲートウェイ
６−１，６−２  交換機
７  ＲＮＣ
８  基地局
１０  無線ＬＡＮ用のアンテナ
１１  携帯電話用のアンテナ
１２  制御部
１３  メモリ
１４  無線ＬＡＮ無線部
１５  携帯電話無線部
１６  操作部
１７  表示部
１００  内線電話網
１２１  発着信指令受付処理部
１２２  発着信処理部
１２３  発着信番号登録処理部
１２４  表示処理部
１３１  電話帳データ記憶部
１３２  発着信履歴データ記憶部
２００  公衆回線網
３００  携帯電話網
【図１】
2008172382.tif 000003
【図２】
2008172382.tif 000004
【図３】
2008172382.tif 000005
【図４】
2008172382.tif 000006
【図５】
2008172382.tif 000007
【図６】
2008172382.tif 000008
【図７】
2008172382.tif 000009
【図８】
2008172382.tif 000010
【図９】
2008172382.tif 000011
【図１０】
2008172382.tif 000012
【図１１】
2008172382.tif 000013
【図１２】
2008172382.tif 000014
【図１３】
2008172382.tif 000015
【図１４】
2008172382.tif 000016
【図１５】
2008172382.tif 000017
【図１６】
2008172382.tif 000018
【図１７】
2008172382.tif 000019
【図１８】
2008172382.tif 000020